【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
各遊技機の遊技に関する情報を管理する管理装置であって、
各遊技機の遊技状況に関する情報を収集する収集手段と、
ディスプレイ上にレイアウトされた遊技機の番号に対応する枠に、前記収集手段にて収集した情報に基づいて当該番号の遊技機の現在の遊技に関する状況を表示する表示制御手段と、
前記遊技状況について当該遊技機の番号に対応する枠に表示する際の優先順位の設定を変更する優先順位変更手段と、
を備え、
前記表示制御手段は、同一の遊技機について重複して複数の遊技状況が発生している場合に、該複数の遊技状況に対して設定されている優先順位に基づいて、該複数の遊技状況のうち最も優先順位の高い遊技状況を当該遊技機の番号に対応する枠に表示させる、
ことを特徴とする管理装置。
【請求項２】
前記表示制御手段は、前記遊技機の番号に対応する枠を該遊技機の現在の遊技に関する状況ごとに色別表示することを特徴とする請求項１の管理装置。
【請求項３】
前記収集手段は、前記各遊技機に対応して設けられた呼出ランプに設けられた呼出ボタンが操作された際に出力される呼出信号を収集し、
前記表示制御手段は、前記収集手段にて収集した呼出信号に基づいて前記呼出ランプが呼び出し中かを判定し、呼び出し中と判定した場合に、該呼出ランプに対応する遊技機の番号に対応する枠に当該遊技機の現在の遊技に関する状況として呼出中である旨を表示する、
ことを特徴とする請求項１又は請求項２の管理装置。
【手続補正２】
【補正対象書類名】明細書
【補正対象項目名】０００６
【補正方法】変更
【補正の内容】
【０００６】
【課題を解決するための手段】
本発明の管理装置は、各遊技機の遊技に関する情報を管理する管理装置であって、
各遊技機の遊技状況に関する情報を収集する収集手段と、
ディスプレイ上にレイアウトされた遊技機の番号に対応する枠に、前記収集手段にて収集した情報に基づいて当該番号の遊技機の現在の遊技に関する状況を表示する表示制御手段と、
前記遊技状況について当該遊技機の番号に対応する枠に表示する際の優先順位の設定を変更する優先順位変更手段と、
を備え、
前記表示制御手段は、同一の遊技機について重複して複数の遊技状況が発生している場合に、該複数の遊技状況に対して設定されている優先順位に基づいて、該複数の遊技状況のうち最も優先順位の高い遊技状況を当該遊技機の番号に対応する枠に表示させる、
ことを特徴とする。
【手続補正３】
【補正対象書類名】明細書
【補正対象項目名】０００７
【補正方法】変更
【補正の内容】
【０００７】
本発明によれば、特定の状況にある遊技機を使用者に分かり易く表示することができるようになり、これにより、使用者は遊技機の現在の状況を容易に一目で把握することが可能となるものである。また、同一の遊技機について複数の状況が重なっても、使用者が優先したい状況を優先的に表示させることができる。
【手続補正４】
【補正対象書類名】明細書
【補正対象項目名】０００８
【補正方法】変更
【補正の内容】
【０００８】
請求項２の発明の管理装置は、上記において前記表示制御手段は、前記遊技機の番号に対応する枠を該遊技機の現在の遊技に関する状況ごとに色別表示することを特徴とする。
【手続補正５】
【補正対象書類名】明細書
【補正対象項目名】０００９
【補正方法】変更
【補正の内容】
【０００９】
請求項２の発明によれば、使用者は遊技機の現在の状況を色別に認識することができるようになり、遊技機の現在の状況の把握がより一層容易となるものである。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項３の発明の管理装置は、上記各発明において前記収集手段は、前記各遊技機に対応して設けられた呼出ランプに設けられた呼出ボタンが操作された際に出力される呼出信号を収集し、
前記表示制御手段は、前記収集手段にて収集した呼出信号に基づいて前記呼出ランプが呼び出し中かを判定し、呼び出し中と判定した場合に、該呼出ランプに対応する遊技機の番号に対応する枠に当該遊技機の現在の遊技に関する状況として呼出中である旨を表示する、
ことを特徴とする。
【手続補正１１】
【補正対象書類名】明細書
【補正対象項目名】００１５
【補正方法】変更
【補正の内容】
【００１５】
請求項３の発明によれば、使用者は呼び出し中の遊技機を容易に把握することができるようになるものである。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】０１３２
【補正方法】変更
【補正の内容】
【０１３２】
【発明の効果】
以上詳述した如く本発明によれば、特定の状況にある遊技機を使用者に分かり易く表示することができるようになり、これにより、使用者は遊技機の現在の状況を容易に一目で把握することが可能となるものである。また、同一の遊技機について複数の状況が重なっても、使用者が優先したい状況を優先的に表示させることができる。
【手続補正２３】
【補正対象書類名】明細書
【補正対象項目名】０１３３
【補正方法】変更
【補正の内容】
【０１３３】
請求項２の発明によれば、使用者は遊技機の現在の状況を色別に認識することができるようになり、遊技機の現在の状況の把握がより一層容易となるものである。
【手続補正２４】
【補正対象書類名】明細書
【補正対象項目名】０１３４
【補正方法】削除
【補正の内容】
【手続補正２５】
【補正対象書類名】明細書
【補正対象項目名】０１３５
【補正方法】削除
【補正の内容】
【手続補正２６】
【補正対象書類名】明細書
【補正対象項目名】０１３６
【補正方法】変更
【補正の内容】
【０１３６】
請求項５の発明によれば、使用者は呼び出し中の遊技機を容易に把握することができるようになるものである。
【手続補正２７】
【補正対象書類名】明細書
【補正対象項目名】０１３７
【補正方法】削除
【補正の内容】
【手続補正２８】
【補正対象書類名】明細書
【補正対象項目名】０１３８
【補正方法】削除
【補正の内容】
【手続補正２９】
【補正対象書類名】明細書
【補正対象項目名】０１３９
【補正方法】削除
【補正の内容】
【手続補正３０】
【補正対象書類名】明細書
【補正対象項目名】０１４０
【補正方法】削除
【補正の内容】
【手続補正３１】
【補正対象書類名】明細書
【補正対象項目名】０１４１
【補正方法】削除
【補正の内容】